(57)【要約】【課題】薄型化を達成しつつ、耐湿特性に優れた固体電解コンデンサを提供する。【解決手段】固体電解コンデンサ1は、一部に陰極層3を形成した陽極体20を有するコンデンサ素子2と、該コンデンサ素子2の下面に取り付けられる陽極側及び陰極側リードフレーム9、90と、リードフレーム9、90の下面を残してコンデンサ素子2を被覆するハウジング70とを具えている。ハウジング70は、リードフレーム9、90の外側端面を被覆し、該リードフレーム9、90の外側端面にはハウジング70を構成する樹脂が入り込む充填部92が形成されている。【選択図】    図２
2005101496.tif 000002
【特許請求の範囲】
【請求項１】
外表面に陰極層(３)を形成した陽極体(20)を有するコンデンサ素子(２)と、該コンデンサ素子(２)の下面に取り付けられる陽極側及び陰極側リードフレーム(９)(90)と、リードフレーム(９)(90)の下面を除き該リードフレーム(９)(90)とコンデンサ素子(２)を被覆するハウジング(70)とを具えた固体電解コンデンサに於いて、
ハウジング(70)は、リードフレーム(９)(90)の外側端面の少なくとも一部に被さり、該リードフレーム(９)(90)の外側端面には充填部(92)が形成され、該充填部(92)にはハウジング(70)を構成する樹脂が入り込むことを特徴とする固体電解コンデンサ。
【請求項２】
充填部(92)の断面形状は、凹凸が上下に並んだ形状、又は凹形、Ｖ字形、Ｓ字形、くさび形の何れかである請求項１に記載の固体電解コンデンサ。
【請求項３】
外表面に陰極層(３)を形成した陽極体(20)を有するコンデンサ素子(２)と、該コンデンサ素子(２)の下面に取り付けられる陽極側及び陰極側リードフレーム(９)(90)と、リードフレーム(９)(90)の下面を除き該リードフレーム(９)(90)とコンデンサ素子(２)を被覆するハウジング(70)とを具え、ハウジング(70)の一側面は切断工具による切断痕面(71)である固体電解コンデンサに於いて、
ハウジング(70)の切断痕面(71)側に位置するリードフレーム(９)(90)の端部下面には、凹み(93)が形成されて、該凹み(93)はハウジング(70)を構成する樹脂にて覆われて該リードフレーム(９)(90)の端部下面の露出を防ぐことを特徴とする固体電解コンデンサ。
【請求項４】
リードフレーム(９)(90)の下面には、凹面(91)が形成されて、該凹面(91)はハウジング(70)を構成する樹脂にて充填される請求項１乃至３の何れかに記載の固体電解コンデンサ。
【請求項５】
陰極側リードフレーム(90)は、コンデンサ素子(２)の下面に被さる請求項１乃至４の何れかに記載の固体電解コンデンサ。
【発明の詳細な説明】
【技術分野】
【０００１】
本発明は、固体電解コンデンサに関する。
【背景技術】
【０００２】
従来から、図１６に示すチップ型の固体電解コンデンサが知られている(例えば、特許文献１参照)。
固体電解コンデンサ(１)は、図１６に示すように、下面にリードフレーム(９)(90)が取り付けられたコンデンサ素子(２)を具え、該コンデンサ素子(２)は合成樹脂製のハウジング(70)にて覆われる。リードフレーム(９)(90)はハウジング(70)に沿って折曲される。コンデンサ素子(２)は、弁金属の箔である陽極体(20)の一部に、誘電体酸化被膜(21)を形成し、該誘電体酸化被膜(21)上に、陰極層(３)、カーボン層(６)、銀ペースト層(60)を順に設けて形成される。即ち、陽極体(20)上にて誘電体酸化被膜(21)の形成部分が陰極(２b)、陽極体(20)上にて誘電体酸化被膜(21)の未形成部分が陽極(２a)となる。図１６では、図示の便宜上、陰極層(３)、カーボン層(６)、銀ペースト層(60)を厚く記載しているが、実際には陽極体(20)は平板に近い。
また、弁金属とは、電解酸化処理により極めて緻密で耐久性を有する誘電体酸化被膜が形成される金属を指し、Ａｌ(アルミニウム)、Ｔａ(タンタル)、Ｔｉ(チタン)、Ｎｂ(ニオブ)等が該当する。
【０００３】
該固体電解コンデンサ(１)では、ハウジング(70)の下面とコンデンサ素子(２)の下面とが高さ方向に離れているから、コンデンサ(１)の全体高さが高い。しかし、斯種コンデンサは、薄型化を求められており、かかる要求を満たすべく、図１７に示すように、リードフレーム(９)(90)を平板状に設け、コンデンサ素子(２)の下面とハウジング(70)の下面を接近させたものもある(例えば、特許文献２参照)。図１７に示す固体電解コンデンサ(１)では、陰極側リードフレーム(90)と陽極側リードフレーム(９)の下面は、略同一形状に形成されている。
また、前記特許文献１には、図１８に示すように、複数枚の陽極体(20)(20)を重ね、陽極(２a)側を接着又は溶接し、静電容量を大きくしたコンデンサ素子(２)も開示されている。
【０００４】
【特許文献１】特開２００２−２４６２６８号
【特許文献２】特開２００２−２５８５８号
【発明の開示】
【発明が解決しようとする課題】
【０００５】
図１７及び図１８に示す固体電解コンデンサ(１)では、薄型化は達成できたが、リードフレーム(９)(90)とハウジング(70)との密着強度が弱い。換言すれば、図１６の固体電解コンデンサ(１)では、ハウジング(70)がリードフレーム(９)(90)の上段部の上下を覆っており、密着強度が大きいが、図１７及び図１８に示す固体電解コンデンサ(１)では、リードフレーム(９)(90)とハウジング(70)との接触が、リードフレーム(９)(90)の片面に限られているから、図１６の固体電解コンデンサ(１)に比して小さく、リードフレーム(９)(90)とハウジング(70)との密着強度が弱い。
従って、リードフレーム(９)(90)とハウジング(70)の境目(図１８のＭ)から水分が侵入し易い。水分がコンデンサ素子(２)に到達すると、劣化しやすいから、固体電解コンデンサ(１)としての耐湿特性が十分でなかった。
本発明の目的は、薄型化を達成しつつ、リードフレームとハウジングとの密着強度と耐湿特性に優れた固体電解コンデンサ(１)を提供することにある。
【課題を解決するための手段】
【０００６】
一部に陰極層(３)を形成した陽極体(20)を有するコンデンサ素子(２)と、該コンデンサ素子(２)の下面に取り付けられる陽極側及び陰極側リードフレーム(９)(90)と、リードフレーム(９)(90)の下面を残してコンデンサ素子(２)を被覆するハウジング(70)とを具えた固体電解コンデンサに於いて、
ハウジング(70)は、リードフレーム(９)(90)の外側端面を被覆し、該リードフレーム(９)(90)の外側端面にはハウジング(70)を構成する樹脂が入り込む充填部(92)が形成されている。
また、リードフレーム(９)(90)の下面に、ハウジング(70)を形成する樹脂に覆われる凹面(91)を設けている。
更に、ハウジング(70)の切断痕面(71)側に位置するリードフレーム(９)(90)の端部下面には、ハウジング(70)を構成する樹脂にて覆われて該リードフレーム(９)(90)の端部下面の露出を防ぐ凹み(93)が形成されていてもよい。
【発明の効果】
【０００７】
１．本発明の固体電解コンデンサ(１)にあっては、リードフレーム(９)(90)の外側端面に充填部(92)が形成され、該充填部(92)にハウジング(70)を形成する樹脂が入り込む。これにより、リードフレーム(９)(90)の外側端面は樹脂で覆われ、且つ樹脂が充填部(92)内を充填するから、固体電解コンデンサ(１)が薄くとも、リードフレーム(９)(90)とハウジング(70)との密着強度を高めることができる。従って、固体電解コンデンサ(１)の耐湿特性を高めることができる。
２．また、リードフレーム(９)(90)の下面に、ハウジング(70)を形成する樹脂に覆われる凹面(91)を設けている。これによって、コンデンサ素子(２)とリードフレーム(９)(90)との接触面積を大きく保ち、ＥＳＲ(等価直列抵抗)を小さくしつつ、リードフレーム(９)(90)とハウジング(70)の密着強度を大きくしている。
３．凹み(93)がハウジング(70)を構成する樹脂にて覆われることにより、ハウジング(70)の切断痕面(71)側に位置するリードフレーム(９)(90)の端部下面が露出することが防止される。これにより、リードフレーム(９)(90)を切断する際のバリが、ハウジング(70)の外側に露出することが防止されるから、バリ除去工程を省くことができ、製造工程の工数削減ができる。また、凹み(93)を樹脂にて覆うことによっても、リードフレーム(９)(90)とハウジング(70)との密着強度を高めることができる。
【発明を実施するための最良の形態】
【０００８】
(第１実施例)
以下、本発明の一例を図を用いて詳述する。
図１は、固体電解コンデンサ(１)を上下逆にして示す斜視図である。図２は図１をＡ−Ａ線を含む面にて破断した断面図であり、図１とは上下が逆になっている。
固体電解コンデンサ(１)は、図２に示すように、下面にリードフレーム(９)(90)が取り付けられたコンデンサ素子(２)を具え、該コンデンサ素子(２)はエポキシ樹脂等の合成樹脂製のハウジング(70)にて覆われる。コンデンサ素子(２)の形状は、図１８に示した従来と同じものであり、複数枚の陽極体(20)(20)を重ね、陽極(２a)側を接着又は溶接している。陰極側リードフレーム(90)はコンデンサ素子(２)の下面に被さっており、コンデンサ素子(２)と陰極側リードフレーム(90)との接触面積を大きくすることにより、ＥＳＲを小さくしている。
【０００９】
コンデンサ素子(２)の製造方法を示すが、該方法は従来と同じである。先ずアルミニウム箔のシートを切り出して帯状の陽極体(20)を形成し、この陽極体(20)の一部を０.０１〜０.０２ｗｔ％の燐酸水溶液又はアジピン酸水溶液内に浸して電解酸化処理し、誘電体酸化被膜(21)を形成する。次に、ブタノールを溶媒とした３,４−エチレンジオキシチオフェン、Ｐ−トルエンスルホン酸第３鉄の溶液に、陽極体(20)の誘電体酸化被膜(21)の形成部分を浸漬し、ポリチオフェンである導電性高分子から成る陰極層(３)を形成する。この陰極層(３)上に、カーボン層(６)、銀ペースト層(60)を順に形成する。複数枚の陽極体(20)を重ね、陽極(２a)(２a)を接着又は溶接して、コンデンサ素子(２)が完成する。
尚、陰極層(３)を形成する材料には、前記ポリチオフェンの他に、ポリピロール、ポリアニリン、ポリフラン等の導電性高分子、ＴＣＮＱ(７、７、８、８−テトラシアノキノジメタン)錯塩等が挙げられる。陰極層(３)に抵抗値の低い導電体高分子等を用いることにより、ＥＳＲを小さくして、高周波特性に優れたコンデンサを形成している。
【００１０】
固体電解コンデンサ(１)の長手方向に沿うリードフレーム(９)(90)の外側端面には、充填部(92)が形成され、該充填部(92)にハウジング(70)を形成する樹脂が入り込む。充填部(92)は、凹凸が上下に並んだ断面形状を呈している。
これにより、リードフレーム(９)(90)の外側端面は樹脂で覆われ、且つ樹脂が充填部(92)内を充填するから、固体電解コンデンサ(１)が薄くとも、リードフレーム(９)(90)とハウジング(70)との密着強度を高めることができる。従って、固体電解コンデンサ(１)の耐湿特性を高めることができる。尚、リードフレーム(９)(90)の充填部(92)は、図３に示す断面Ｓ字形であっても、図４に示す断面Ｖ字形であっても、図示はしないがくさび状の凹状であってもよい。
リードフレーム(９)(90)の下面には、ハーフエッチング加工又は潰し加工により凹面(91)が形成され、陰極側リードフレーム(90)の凹面(91)の左右長さＷは１−４ｍｍである。凹面(91)はハウジング(70)を形成する樹脂に覆われる。該凹面(91)(91)を形成することによって、コンデンサ素子(２)とリードフレーム(９)(90)との接触面積を大きく保ち、ＥＳＲ(等価直列抵抗)を小さくし、且つリードフレーム(９)(90)とハウジング(70)の密着強度を大きくしている。また、凹面(91)を形成することにより、凹面(91)とハウジング(70)の境目(図２のＢ点)から、コンデンサ素子(２)に達する距離を長くし、水分がコンデンサ素子(２)に達する虞れを少なくしている。更に、コンデンサ素子(２)とリードフレーム(９)(90)は抵抗溶接により取り付けられるが、凹面(91)に抵抗溶接の痕が残る。しかし、該凹面(91)は樹脂により覆われるから、スポット痕は隠され、見映えが良くなる。
【００１１】
固体電解コンデンサ(１)の製造方法を、以下に示す。
図５は、リードフレーム(９)(90)となる金属板(８)の平面図である。先ず、銅を主成分とした金属板(８)を打ち抜いて、縦長の第１開口(80)を開設し、該第１開口(80)の両側に横長の第２開口(81)(81)を略等間隔に縦に並べて開設する。このとき、金属板(８)の隅部に治具貫通孔(82)を開設する。
金属板(８)上にて、第１開口(80)の左側に位置する第２開口(81)(81)の残り部分が、陰極側のリードフレーム(90)となる端子構成片(83)を構成し、第１開口(80)の右側に位置する第２開口(81)(81)の残り部分が、陽極側のリードフレーム(９)となる端子構成片(84)を構成する。即ち、両端子構成片(83)(84)の先端部は第１開口(80)を隔てて互いに対向する。
【００１２】
両端子構成片(83)(84)の基端部には、エッチング加工によって樹脂貫通孔(85)(85)が開設される。このとき、金属板(８)の両面からエッチングを行うことにより、図６に拡大して示すように、樹脂貫通孔(85)(85)の内側端面Ｔに、断面が略Ｗ形の前記充填部(92)が形成される。また、端子構成片(83)(84)の裏面には、ハーフエッチング加工又は潰し加工により凹面(91)(91)(図２参照)が形成される。出願人は、リードフレーム(９)(90)の厚みを約０.２５ｍｍ、凹面(91)の深さとして０.１２５ｍｍ程度を想定しているが、この厚み、深さ、左右幅に限定されない。
尚、第１開口(80)及び第２開口(81)(81)も樹脂貫通孔(85)(85)と同時にエッチング加工により開設しても良い。また、充填部(92)を端子構成片(83)(84)上にて、コンデンサ素子(２)の長手方向に沿う外側端部(88)に形成してもよい。
第１開口(80)を跨いで、コンデンサ素子(２)を端子構成片(83)(84)上に置く。コンデンサ素子(２)の陽極(２a)は、陽極側リードフレーム(９)となる端子構成片(84)に置かれ、陰極(２b)は、陰極側リードフレーム(90)となる端子構成片(83)に置かれる。コンデンサ素子(２)は、端子構成片(83)(84)上に、陽極側(２a)が抵抗溶接により、陰極側(２b)が導電性接着剤により取り付けられる。このとき、コンデンサ素子(２)は、樹脂貫通孔(85)(85)に被さらない。
【００１３】
次に、図７に示すように、金属板(８)の治具貫通孔(82)を、受け治具(５)に嵌め、金属板(８)を上から押圧手段(図示せず)にて押さえて受け治具(５)上に固定する。
金属板(８)の上方及び下方から、金型(50)及び受け型(52)を被せる。金型(50)の内側端縁は、樹脂貫通孔(85)の外側端縁に合う。金型(50)のゲート(51)から溶融樹脂を注入する。溶融樹脂の一部は、樹脂貫通孔(85)(85)及び充填部(92)を充填する。溶融樹脂の冷却後に、両型(50)(52)を分離すれば、図８に示す金属板(８)上にハウジング(70)となる樹脂塊(７)が形成される。この樹脂塊(７)と金属板(８)を図８のＤ−Ｄ線、Ｅ−Ｅ線を含む面に沿って、ダイシングソー等にて切断し、樹脂塊(７)の外側に位置する端子構成片(83)(84)の部分を切断すれば、固体電解コンデンサ(１)が得られる。
尚、樹脂塊(７)の成形は、該射出成形工程を含むトランスファモールド装置で行う。また、スクリーン印刷で樹脂塊(７)を成形してもよい。
【００１４】
出願人は、図１６の従来の固体電解コンデンサ(１)を従来例１、図１８の従来の固体電解コンデンサ(１)を従来例２として、夫々２０ヶ作成した。また、図２に示す本例の固体電解コンデンサ(１)を２０ヶ作成し、耐湿試験を行った。固体電解コンデンサ(１)は何れも定格電圧１６Ｖ、静電容量１０μＦであり、＋６０℃、相対湿度９０％の環境下に５００時間放置し、静電容量の低下量を測定した。結果を表１に示す。尚、容量変化の値は、２０ヶの平均値である。下記表の結果から、本例の固体電解コンデンサ(１)は、同じ薄型の固体電解コンデンサ(１)である従来例２に比して耐湿特性が改善されたことが判る。
【表１】
2005101496.tif 000003
【００１５】
本例の固体電解コンデンサ(１)にあっては、リードフレーム(９)(90)の外側端面に充填部(92)が形成され、該充填部(92)にハウジング(70)を形成する樹脂が入り込む。これにより、リードフレーム(９)(90)の外側端面は樹脂で覆われ、且つ樹脂が充填部(92)内を充填するから、固体電解コンデンサ(１)が薄くとも、リードフレーム(９)(90)とハウジング(70)との密着強度を高めることができる。従って、固体電解コンデンサ(１)の耐湿特性を高めることができる。このことは、上記表１からも実証されており、固体電解コンデンサ(１)の高さを低くしつつ、耐湿特性を従来例１と同等にすることができた。
また、リードフレーム(９)(90)の下面に、ハウジング(70)を形成する樹脂に覆われる凹面(91)を設けている。これによって、コンデンサ素子(２)とリードフレーム(９)(90)との接触面積を大きく保ち、ＥＳＲ(等価直列抵抗)を小さくしつつ、リードフレーム(９)(90)とハウジング(70)の密着強度を大きくしている。
【００１６】
(第２実施例)
図９は、図１の固体電解コンデンサ(１)の左側面図である。コンデンサ(１)は、樹脂塊(７)と金属板(８)をダイシングソー等の切断工具(４)にて切り出して形成され、図９に示すように、ハウジング(70)の一側面は切断工具(４)の切断痕面(71)を形成している。ハウジング(70)の切断痕面(71)側に位置するリードフレーム(９)(90)の端部下面は露出している。
切断工具(４)は回転して、金属板(８)を切断するから、樹脂塊(７)と金属板(８)を切断工具(４)にて切断する際に、切断工具(４)と金属板(８)との摩擦抵抗により、リードフレーム(９)(90)の端部下面から、バリ(94)が突出することがある。斯種コンデンサ(１)は回路基板(図示せず)に実装されるが、かかるバリ(94)が生じると、コンデンサ(１)の実装高さがバラ付く虞れがある。このため、バリを除去する工程が必要となっており、製造工程の工数増加に繋がっていた。
そこで、かかるコンデンサ(１)の実装高さのバラ付きをなくすべく、出願人は図１０に示すコンデンサ(１)を提案している。これは、ハウジング(70)の切断痕面(71)側に位置するリードフレーム(９)(90)の端部を薄くし、該端部下面を樹脂で覆っている(図１０は、コンデンサ(１)を上下逆にして示している)。これにより、樹脂塊(７)と金属板(８)をダイシングソーにて切断する際に、リードフレーム(９)(90)の端部下面から、バリ(94)が突出する虞れを無くしている。
【００１７】
かかるコンデンサ(１)は、以下の工程を経て製造される。コンデンサ素子(２)は、図２に示すのと同じものを用いる。
図１１は、リードフレーム(９)(90)となる金属板(８)の平面図である。先ず、金属板(８)を打ち抜いて、矩形状の大孔(86)を開設する。大孔(86)は、縦長の第１開口(80)と、該第１開口(80)の両側にて縦向きに略等間隔に並んだ横長の第２開口(81)(81)とを有する。また、金属板(８)の隅部に治具貫通孔(82)を開設する。
金属板(８)上にて、第１開口(80)の左側に位置する残り部分が、陰極側のリードフレーム(90)となる端子構成片(83)を構成し、第１開口(80)の右側に位置する残り部分が、陽極側のリードフレーム(９)となる端子構成片(84)を構成する。即ち、両端子構成片(83)(84)の先端部は第１開口(80)を隔てて互いに対向する。
両端子構成片(83)(84)は、繋ぎ片(87)によって大孔(86)の周縁と繋がる。
両端子構成片(83)(84)の基端部には、エッチング加工によって樹脂貫通孔(85)(85)が開設される。樹脂貫通孔(85)(85)の内側端面に、前記充填部(92)を形成してもよい。
【００１８】
図１２は、図１１の金属板(８)の裏面図である。端子構成片(83)(84)の下面周縁部にハーフエッチング加工又は潰し加工を施して、図１２に斜線で示すように、凹面(91)(91)を形成する。繋ぎ片(87)にもハーフエッチング加工又は潰し加工を施して、斜線で示すように、下面に凹み(93)を形成する。
図１３は、図１２をＣ−Ｃ線を含む面で破断した断面図であり、図１４は、図１２の端子構成片(83)(84)の斜視図である。端子構成片(83)(84)の中央部のみが金属板(８)の下面と同一面内に位置し、端子構成片(83)(84)の下面周縁部と繋ぎ片(87)は略同じ深さだけ凹んでいる。
図１５に示すように、第１開口(80)を跨いで、コンデンサ素子(２)を端子構成片(83)(84)上に置く。この後、金属板(８)の治具貫通孔(82)を、受け治具(５)に嵌め、金属板(８)を上から押圧手段(図示せず)にて押さえて受け治具(５)上に固定する(図７参照)。金属板(８)の上方から、金型(50)を被せ、ゲート(51)から溶融樹脂を射出すれば、溶融樹脂の一部は、樹脂貫通孔(85)(85)、充填部(92)及び凹み(93)を充填する。図１５に示すように、得られた樹脂塊(７)をＤ−Ｄ線、Ｅ−Ｅ線を含む面に沿って、ダイシングソー等の切断工具にて切断すれば、図１０に示す固体電解コンデンサ(１)が得られる。
【００１９】
出願人は、上記工程にて凹み(93)が充填された固体電解コンデンサ(１)を２０ヶ作成した。また、図１８に示す従来の固体電解コンデンサ(１)(従来例２)を２０ヶ作成し、リードフレーム(９)(90)から生じるバリ(94)の発生状況を調べた。表２にバリの発生量の平均値を示す。表２にて底面へのバリとあるのは、バリ(94)が突出した高さ(図９のＨ)を示し、側面へのバリとあるのは、バリ(94)がハウジング(70)の側方に突出した量を指す。尚、ダイシングソーの送り速度は、３０ｍｍ／secとした。
【表２】
2005101496.tif 000004
表２から判るように、凹み(93)に樹脂を充填することにより、底面へのバリ及び側面へのバリの何れをも０に、又は従来よりも小さくでき、バリ除去工程を省くことができた。これにより、製造工程の工数削減ができた。
また、凹み(93)を樹脂にて覆うことによって、第１実施例と同様にリードフレーム(９)(90)とハウジング(70)との密着強度を高めることができる。
【００２０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００２１】
【図１】固体電解コンデンサを上下逆にして示す斜視図である。
【図２】図１の固体電解コンデンサをＡ−Ａ線を含む面にて破断した断面図である。
【図３】別の固体電解コンデンサの断面図である。
【図４】別の固体電解コンデンサの断面図である。
【図５】リードフレームとなる金属板の平面図である。
【図６】図５の一部拡大図である。
【図７】成形工程を示す図である。
【図８】成形後の金属板の平面図である。
【図９】図１の固体電解コンデンサの左側面図である。
【図１０】別の固体電解コンデンサを上下逆にした斜視図である。
【図１１】図１０のコンデンサのリードフレームとなる金属板の平面図である。
【図１２】図１１の金属板の裏面図である。
【図１３】図１２をＣ−Ｃ線を含む面で破断した断面図である。
【図１４】図１２の端子構成片の斜視図である。
【図１５】成形後の金属板の裏面図である。
【図１６】従来の固体電解コンデンサの断面図である。
【図１７】別の従来の固体電解コンデンサの断面図である。
【図１８】別の従来の固体電解コンデンサの断面図である。
【符号の説明】
【００２２】
(１)  固体電解コンデンサ
(３)  陰極層
(９)  リードフレーム
(20)  陽極体
(70)  ハウジング
(90)  リードフレーム
(91)  凹面
(92)  充填部
【図１】
2005101496.tif 000005
【図２】
2005101496.tif 000006
【図３】
2005101496.tif 000007
【図４】
2005101496.tif 000008
【図５】
2005101496.tif 000009
【図６】
2005101496.tif 000010
【図７】
2005101496.tif 000011
【図８】
2005101496.tif 000012
【図９】
2005101496.tif 000013
【図１０】
2005101496.tif 000014
【図１１】
2005101496.tif 000015
【図１２】
2005101496.tif 000016
【図１３】
2005101496.tif 000017
【図１４】
2005101496.tif 000018
【図１５】
2005101496.tif 000019
【図１６】
2005101496.tif 000020
【図１７】
2005101496.tif 000021
【図１８】
2005101496.tif 000022